(57)【要約】【課　題】糸巻用スプール単体でも、陳列棚の吊下げ棒に正しい姿勢で吊下げできるようにする。【解決手段】円筒状の胴部（３）とその胴部（３）の両側端から径方向外側へ張り出した一対のフランジ部（４・４）とで巻装部（２）を構成する。上記のフランジ部（４・４）の外周縁間に、巻装部（２）を覆う環状の覆い部材（６）を配置する。巻装部（２）より内方で、胴部（３）の中心軸心（９）の周囲に小径の筒状軸部（１０）を設ける。この筒状軸部（１０）と上記の胴部（３）との間に、フランジ部（４）と平行な支持壁（１１）を設け、この支持壁（１１）に吊下げ部（１２）を形成する。【選択図】　図１
2004107027.tif 000002
【特許請求の範囲】
【請求項１】
円筒状の胴部（３）とその胴部（３）の両側端から径方向外側へ張り出した一対のフランジ部（４・４）とからなる巻装部（２）を備えた糸巻用スプールであって、
上記の巻装部（２）より内方で、上記の円筒状胴部（３）の中心軸心（９）から外れた位置に、吊下げ部（１２）を形成したことを特徴とする、糸巻用スプール。
【請求項２】
上記の巻装部（２）より内方で上記の中心軸心（９）の周囲に小径の筒状軸部（１０）を備え、この筒状軸部（１０）と上記の胴部（３）との間に上記の吊下げ部（１２）を形成した、請求項１に記載の糸巻用スプール。
【請求項３】
上記の巻装部（２）より内方に、上記のフランジ部（４）と平行な支持壁（１１）を設け、この支持壁（１１）に上記の吊下げ部（１２）を形成した、請求項１又は請求項２に記載の糸巻用スプール。
【請求項４】
上記の一対のフランジ部（４・４）の外周縁間に、上記の巻装部（２）を覆う環状の覆い部材（６）を備えた、請求項１から３のいずれか１項に記載の糸巻用スプール。
【発明の詳細な説明】
【０００１】
【発明の属する技術分野】
本発明は、釣糸などの糸条体を捲き付ける糸巻用スプールに関し、さらに詳しくは、糸巻用スプール単体でも陳列棚の吊下げ棒に正しい姿勢で吊下げることができる、糸巻用スプールに関する。
【０００２】
【従来の技術】
従来、釣糸などを捲き付けた糸巻用スプールには、例えば図７に示すように、円筒状の胴部（５１）とその胴部（５１）の両側端から径方向外側へ張り出した一対のフランジ部（５２・５２）とからなる巻装部（５３）を備えたものがあり、この糸巻用スプール（５０）は、通常、透明のケース（５４）やカバー体で包装される（例えば、特許文献１参照。）。
この糸巻用スプール（５０）を店頭で陳列する場合は、上記のケース（５４）に設けた吊下げ穴（５５）に、陳列棚の吊下げ棒（５６）が挿通される。
また、包装を簡略にした糸巻用スプールとして、巻装部を構成する一対のフランジ部の外周縁間に、この巻装部を覆う環状の覆い部材を配置し、これにより上記のケース等を省略したものがある（例えば、特許文献２参照。）。
【０００３】
【特許文献１】
特開２０００−２６２１９８号公報
【特許文献２】
特開２００２−１７１８８６号公報
【０００４】
【発明が解決しようとする課題】
上記の特許文献１に記載のものは、ケース等の包装体が必要なうえ、製品に関する記載等を、ケース等と糸巻用スプールの両方にラベルを貼着するなどして表示する必要があり、コストが高くつく問題がある。しかも、糸巻用スプールはケース内で回転する惧れがあり、この糸巻用スプールがケース内で回転すると、購入者が上記の表示を充分に読み取れなかったり、糸巻用スプールの姿勢が一定しないため乱雑に陳列された印象を与えたりする問題がある。そこで上記のケース等には、上記の回転を阻止する回転防止手段を設ける必要があり、一層コスト高となる問題がある。
【０００５】
一方、特許文献２に記載のものは、ケース等の包装体を省略できるので安価に実施できるが、この糸巻用スリーブを店頭で陳列棚の吊下げ棒に吊下げる場合、巻装部よりも内側の空間や、この空間内で胴部の中心軸心の周囲に設けた筒状軸部に吊下げ棒を挿通することになり、糸巻用スプールが吊下げ棒の周囲を自由に回転できる状態となる。この結果、糸巻用スプールの姿勢が一定しないため、この糸巻用スプールに記載した表示が読み取り難くなったり、乱雑に陳列された印象を与えたりする問題がある。
【０００６】
本発明は上記の問題点を解消し、糸巻用スプール単体でも陳列棚の吊下げ棒に所定の姿勢で吊下げることができる、糸巻用スプールを提供することを技術的課題とする。
【０００７】
【課題を解決するための手段】
本発明は上記の課題を解決するため、例えば本発明の実施の形態を示す図１から図６に基づいて説明すると、糸巻用スプールを次のように構成したものである。
即ち、円筒状の胴部（３）とその胴部（３）の両側端から径方向外側へ張り出した一対のフランジ部（４・４）とからなる巻装部（２）を備えた糸巻用スプールであって、上記の巻装部（２）より内方で、上記の円筒状胴部（３）の中心軸心（９）から外れた位置に、吊下げ部（１２）を形成したことを特徴とする。
【０００８】
ここで、上記の糸巻用スプールが巻装部より内方で上記の中心軸心の周囲に小径の筒状軸部を備える場合には、上記の吊下げ部はこの筒状軸部と上記の胴部との間に形成される。
また、上記の糸巻用スプールが巻装部より内方に上記のフランジ部と平行な支持壁を備える場合には、この支持壁に上記の吊下げ部が形成される。
なお、上記の糸巻用スプールは、上記の一対のフランジ部の外周縁間に、上記の巻装部を覆う環状の覆い部材を備えるのが好ましい。
【０００９】
上記の吊下げ部は、陳列棚の吊下げ棒に係止できる構造であればよく、通常、支持壁などに透設された穴で構成されるが、フランジ部の内周縁や環状の支持壁の内周縁に凹溝を形成して、この凹溝で吊下げ部を構成してもよい。また、上記の吊下げ穴や凹溝の形状は、陳列棚の吊下げ棒を挿通できる形状であればよく、円形、長円形、角部を丸めた三角形、上縁中央を上方へ突出させた横長の長円形など、任意の形状を採用することができる。
【００１０】
【作用】
上記の糸巻用スプールは、重心が胴部の中心軸心に略一致しているので、上記の吊下げ部を陳列棚の吊下げ棒に係止すると、上記の中心軸心が吊下げ部の略真下となる姿勢に一定する。糸巻用スプールに貼着するラベル等、製品内容に関する表示は、この一定の姿勢で正しく読取れる状態に記載される。
【００１１】
【発明の実施の形態】
図１は本発明の第１実施形態を示す、釣糸用スプールの一部を破断した斜視図である。
【００１２】
図１に示すように、この釣糸用スプール（１）は円盤状に形成され、周縁部に巻装部（２）を備える。この巻装部（２）は、円筒状の胴部（３）とその胴部（３）の両側端から径方向外側へ張り出した一対のフランジ部（４・４）とからなり、この巻装部（２）に糸条体である釣糸（５）が巻き付けられている。上記の一対のフランジ部（４・４）の外周縁間には、上記の巻装部（２）を覆う環状の覆い部材（６）が、巻装部（２）の周囲を回動自在に外嵌してある。この環状の覆い部材（６）は一箇所が破断されており、この破断部（７）に凹部（８）が形成してある。上記の釣糸（５）はこの凹部（８）を介して引き出すことができる。
【００１３】
上記の巻装部（２）よりも内方には、上記の胴部（３）の中心軸心（９）の周囲に小径の筒状軸部（１０）が設けてある。そしてこの筒状軸部（１０）と上記の一方のフランジ部（４）との間に、このフランジ部（４）と平行な支持壁（１１）が設けてある。この支持壁（１１）には、巻装部（２）より内方で上記の中心軸心（９）から外れた位置に、吊下げ穴（１２）が透設してある。
【００１４】
上記の釣糸用スプール（１）を店頭で陳列する場合、上記の吊下げ穴（１２）が陳列棚の吊下げ棒（１３）に挿通される。釣糸用スプール（１）の重心は、ほぼ上記の中心軸心（９）上にあるので、この釣糸用スプール（１）は、上記の中心軸心（９）が吊下げ穴（１２）のほぼ真下に位置する姿勢で上記の吊下げ棒（１３）に吊下げられる。従って、この釣糸用スプール（１）に貼着されたラベル（１４）には、この吊下げ姿勢で正しく読取れる状態に、製品に関する記載などが表示される。
【００１５】
なお、この第１実施形態では、上記の吊下げ穴（１２）を円形に形成した。しかし本発明では吊下げ部（１２）の形状を、例えば図２に示す変形例のように、（ａ）長円形、（ｂ）角部を丸めた三角形、（ｃ）上縁中央を上方へ突出させた横長の長円形など、他の形状に形成することができる。
【００１６】
また、上記の実施形態では、釣糸用スプール（１）を陳列棚の吊下げ棒（１３）に吊下げる場合について説明したが、本発明の糸巻用スプールは店頭で平積み状態に陳列してもよいし、或いは、前記の特許文献１に記載の従来技術のようなケースに収容してもよい。さらに、本発明の糸巻用スプールは、例えば図３に示すように、円板または環状板（１５）の外周縁に周壁（１６）を設けた１個または１対のカバー（１７）を装着して包装することも可能である。
【００１７】
図４は本発明の第２実施形態を示す、釣糸用スプールの一部を破断した正面図である。
この第２実施形態の釣糸用スプール（１）は、上記の第１実施形態と同様の巻装部（２）と覆い部材（６）と筒状軸部（１０）とを備えている。しかし、上記の筒状軸部（１０）と巻装部（２）の胴部（３）との間には、第１実施形態と異なって支持壁が形成されておらず、放射状に配置した６本の支柱（１８）が設けられており、各支柱（１８）間には空間が形成されている。
【００１８】
図４に示すように、上記の支柱（１８）のうちの１本には、上記の胴部（３）との接続部に吊下げ穴（１２）が形成してある。この釣糸用スプール（１）を店頭で陳列する際には、前記の第１実施形態と同様、この吊下げ穴（１２）に陳列棚の吊下げ棒が挿入される。
【００１９】
図５は本発明の第３実施形態を示す、釣糸用スプールの一部を破断した正面図である。
この第３実施形態の釣糸用スプール（１）は、上記の各実施形態と異なり、筒状軸部を備えていない。巻装部（２）の胴部（３）の内周面には三日月状の支持壁（１１）が設けてあり、この支持壁（１１）に吊下げ穴（１２）が透設してある。
【００２０】
図６は本発明の第４実施形態を示す、釣糸用スプールの一部を破断した正面図である。
上記の各実施形態では吊下げ部を吊下げ穴で構成したが、この第４実施形態では巻装部（２）の胴部（３）の内周面に環状の支持壁（１１）を形成し、この支持壁（１１）の内周縁に、吊下げ部を構成する凹溝（１２）を形成してある。
この釣糸用スプール（１）は、陳列棚の吊下げ棒を支持壁（１１）の内側に挿通し、上記の凹溝（１２）を吊下げ棒に係止することで、所定の姿勢で陳列される。
【００２１】
上記の各実施形態では釣糸用スプールについて説明したが、本発明は手芸糸など他の糸条体（金属製を含む）を捲き付けた糸巻用スプールにも適用でき、また、上記の糸巻用スプールは合成樹脂材料のほか、糸条体を巻き付け得る素材であれば任意の材料で形成できることはいうまでも無い。
【００２２】
【発明の効果】
本発明は上記のように構成され作用することから、次の効果を奏する。
【００２３】
（１）糸巻用スプールは、ケース等の包装体を省略して安価に実施した場合であっても、上記の吊下げ部を介して陳列棚の吊下げ棒に直接吊下げることができるうえ、吊下げ棒には、常に所定の姿勢、即ち、吊下げ部の略真下に胴部の中心軸心が位置する姿勢で吊下げられるので、製品内容に関する表示などが常に読み取り易く、しかも、陳列状態が整列されている印象を容易に与えることができる。
【００２４】
（２）上記の吊下げ部は巻装部よりも内側に設けられるので、この吊下げ部が糸巻用スプールの外方へ突出することが無く、従って、必要に応じてこの糸巻用スプールを、前記の特許文献１に記載の従来技術のように包装用ケースに収容したり、カバーを装着して包装したりすることができる。
【図面の簡単な説明】
【図１】本発明の第１実施形態を示す、釣糸用スプールの一部破断斜視図である。
【図２】釣糸用スプールの吊下げ穴の変形例を示す、要部拡大図である。
【図３】本発明の釣糸用スプールにカバーを装着する際の一部破断斜視図である。
【図４】本発明の第２実施形態を示す、釣糸用スプールの一部破断正面図である。
【図５】本発明の第３実施形態を示す、釣糸用スプールの一部破断正面図である。
【図６】本発明の第４実施形態を示す、釣糸用スプールの一部破断正面図である。
【図７】従来技術を示す、糸巻用スプールを陳列する際の、一部破断斜視図である。
【符号の説明】
１…糸巻用スプール（釣糸用スプール）、
２…巻装部、
３…胴部、
４…フランジ部、
６…覆い部材、
９…胴部の中心軸心、
１０…筒状軸部、
１１…支持壁、
１２…吊下げ部（吊下げ穴、凹溝）
【図１】
2004107027.tif 000003
【図２】
2004107027.tif 000004
【図３】
2004107027.tif 000005
【図４】
2004107027.tif 000006
【図５】
2004107027.tif 000007
【図６】
2004107027.tif 000008
【図７】
2004107027.tif 000009